(57)【要約】【課題】組み立て作業がより簡易であり、折り畳みの作業性が向上し、また折り返しのための比較的大きな部品を必要とせず、生産性がよい箱型包装ケースを提供する。【解決手段】  正面板１０から天面板２、背面板６、及び底面板３までがループ状に連接すると共に正面板１０または背面板６から側面板１２，１４が左右側方へそれぞれ連接して構成され、正面板１０と天面または底面板３のいずれかを折り重ねた折畳み状態から箱状態に組み上げ可能となっている。そして、前記折畳み状態にて正面板１０に折り重ねられた底面板３又は天面板２のいずれかから連接アーム４が伸設され、この連接アーム４の先部がいずれかの側面板１２／１４に接着される。【選択図】  図３
0003155081.tif 000002
【実用新案登録請求の範囲】
【請求項１】
正面板から天面板、背面板、及び底面板までがループ状に連接すると共に正面板または背面板から側面板が左右側方へそれぞれ連接して構成され、前記ループ状の正面板と天面または底面板のいずれかとを折畳んだ折畳み状態から箱状態に組み上げ可能な箱型包装ケースであって、前記折畳み状態にて正面板に折り重ねられた底面板又は天面板のいずれかから左右外側方の少なくとも一方へ連接アームが伸設され、この連接アームの先部が、前記折畳み状態で、いずれかの側面板に接着されてなることを特徴とする箱形包装ケース。
【請求項２】
正面板から左側面板、背面板、及び右側面板までがループ状に連接すると共に正面板または背面板から天面板及び底面板が上下方へそれぞれ連接して構成され、前記ループ状の正面板と左右側面板のいずれかとを折畳んだ折畳み状態から箱状態に組み上げ可能な箱型包装ケースであって、前記折畳み状態にて正面板に折り重ねられた右側面板又は左側面板のいずれかから上下方の少なくとも一方へ連接アームが伸設され、この連接アームの先部が、前記折畳み状態で、天面板または底面板のいずれかに接着されてなることを特徴とする箱形包装ケース。
【請求項３】
箱状態において、底面が天面よりも大きい縦型部分角錐形状からなり、少なくとも２つ以上の各面板は透明または半透明の樹脂製シートから構成される請求項１又は２記載の箱型包装ケース。
【請求項４】
連接アームは、折畳み状態において、取り付けられる面板の辺の一方向寄りの位置を取り付け基部とし、この取り付け基部から当該辺の他方向寄りの位置へ斜めに延伸し、その先部に逆折れ可能なリード罫が施され、リード罫よりも先側の接着面が側面板に接着してなる請求項１、２又は３のいずれか記載の箱型包装ケース。
【請求項５】
折畳み状態において、正面板または背面板はループ状を構成するための捨折り辺で折り曲げられ、箱状態においては前記捨折り辺からずれた位置で折り曲げられて箱の一面が構成される請求項１乃至４のいずれか記載の箱型包装ケース。
【考案の詳細な説明】
【技術分野】
【０００１】
本考案は、商品を箱状の容器内に収容して包装するための箱形包装ケースに関する。
【背景技術】
【０００２】
扁平な折畳状態から組み立てて使用される包装用の蓋付き箱として、従来、底面板の前角から前面板の端縁に至る斜山折線と、底面板の後角から側面板の端縁に至る斜谷折線と、天面板の前角から蓋前板の端縁に至る斜山折線とを設けたものが開示される（例えば、特許文献１参照）。この蓋つき箱においては、折畳状態では、前面板、両側面板及び蓋前板をそれぞれ斜山折線、斜谷折線及び斜山折線に沿って折り曲げ、底面板と後面板とが重なるように二つ折りにされる。底面板から後面板を起こし、前面板、両側面板及び蓋前板又は蓋側板の折り曲げを伸ばすだけで、連結片の折り曲げや抱込等の作業を要することなく、扁平な折畳状態から迅速に組み立てることができる、とされる。
【先行技術文献】
【特許文献】
【０００３】
【特許文献１】特開２００４−１７７８号公報
【考案の概要】
【考案が解決しようとする課題】
【０００４】
上記蓋付き箱は、組み立て時に折り曲げや抱え込み等の作業を要することがない点で組み立て作業がある程度簡易になるものの、左右に設けた比較的大きな側板をそれぞれ谷折りして折畳み状態とするものであり、複雑な折返しの作業が必要となって折畳み状態のものを機械的に生産することができず、折畳みの作業性の向上に繋がるものではなかった。また折返しのための側辺同士が大きく重なるため、比較的大きな側板が必要となり、生産性がよいものとはいえなかった。さらに左右両側の側板の引揚げ作業が必要となるため、組み立て作業においてなお一定の工数が必要であった。
【０００５】
そこで本考案では、組み立て作業がより簡易であり、折畳みの作業性が向上し、また折返しのための比較的大きな部品を必要とせず、生産性がよい箱型包装ケースを提供することを課題とする。
【課題を解決するための手段】
【０００６】
本考案は上記課題を解決すべく以下（１）〜（５）の手段を採用している。
（１）本考案の箱形包装ケースは、正面板１０から天面板２、背面板６、及び底面板３までがループ状に連接すると共に正面板１０または背面板６から側面板１２，１４が左右側方へそれぞれ連接して構成され、前記ループ状の正面板１０と天面板２または底面板３のいずれかとのいずれかとの間の連接辺で折畳んで２重シート状に重ねた折畳み状態から箱状態へと組み上げ可能な箱型包装ケースであって、前記折畳み状態にて正面板１０側に折り畳まれた底面板３又は天面板２のいずれかから左右外側方の少なくとも一方へ連接アーム４が伸設され、この連接アーム４の先部が、前記折畳み状態で、正面板１０または背面板６に連接した左右いずれかの側面板１２，１４の面内に接着されてなることを特徴とする。
【０００７】
上記包装ケースにおいて、折畳まれた背面板６と正面板１０を離間させてループ状の部分を環状に組み起こすと、連接アーム４に連接された側面板が連動してループ状の一方の環状口を塞ぐように起き上がる。側面板が自動的に起き上がるため、折畳み状態から箱状態にする組み上げ作業が容易となる。また同時にループ状の他方の環状口が大きく開口することで、商品詰め作業や商品取り出し作業が容易となる。特に背面板６及び正面板１０の縦幅が横幅よりも長い縦型包装容器においては、天板や底板部分に比べて大きな側面開口から商品詰め／商品取り出しすることができ、作業性が良いものとなる。
【０００８】
（２）或いは本考案の箱型包装ケースは、正面板１０から左側面板１４、背面板６、及び右側面板１２までがループ状に連接すると共に正面板１０または背面板６から天面板２及び底面板３が上下方へそれぞれ連接して構成され、前記ループ状の正面板１０と左右いずれかの側面板１２／１４との間の連接辺で折り畳んで２重シート状に重ねた折畳み状態から箱状態へと組み上げ可能な箱型包装ケースであって、前記折畳み状態にて正面板１０側に折り畳まれた左右いずれかの側面板１２／１４から上下方の少なくとも一方へ連接アーム４が伸設され、この連接アーム４の先部が、前記折畳み状態で、正面板１０または背面板６に連接した天面板２または底面板３のいずれかの面内に接着されてなることを特徴とする。本形態は後述の他の実施例に相当する。
【０００９】
（３）前記（１）又は（２）のいずれか記載の箱型包装ケースの箱状態において、底面が天面よりも大きい縦型部分角錐形状からなることが好ましい。さらに各面板のうち少なくとも２つ以上は透明または半透明の樹脂製シートから構成されることが好ましい。このようなものであれば、収容する商品の形状が安定感のある部分角錐形状の透明箱型ケース内に表れるため、陳列効果に優れる。また連接アーム４は面積を大きくとらない小片で形成可能なため、透明性を失わず体裁が良いものとなる。
【００１０】
（４）前記（１）乃至（３）記載の箱型包装ケースの連接アーム４は、折畳み状態において、取り付けられる面板の辺上における一方向寄りの位置（たとえば底面板３の側辺上における背面板６寄りの位置）を取り付け基部４Ｒとし、この取り付け基部４Ｒから当該辺の垂線方向線よりも当該辺の他方向寄りの位置へ向かって（たとえば底面板３の当該側辺の垂線方向を基準として正面板１０寄りに傾いて伸びる方向へ）斜めに延伸し、その先部に逆折れ可能なリード罫４Ｃが施され、リード罫４Ｃよりも先側の接着面４ｆが左右いずれかの側面板１２／１４に接着してなることが好ましい。このようなものであれば、斜めに延伸する連接アーム４の取り付け先の面板（たとえば側面板１４）が、組み上げ時に面内の中央寄りの位置で確実に引き揚げられ、組み立て作業がより簡単になる。また取り付け基部４Ｒの辺に対して垂直ではなく後方へ斜めに延伸することで、連接アーム４が余分な面積を用いることのない小片として形成される。これにより原板の大きさを削減して効率的に生産することができ、箱状態にしたあとも連接アーム４が目立ちにくい。
【００１１】
（５）前記（１）乃至（４）のいずれか記載の箱型包装ケースの折畳み状態において、正面板１０または背面板６はループ状を構成するための捨折り辺５６Ｌで折り曲げられ、箱状態においては前記捨折り辺５６Ｌからずれた位置で折り曲げられて箱型の一つの面が構成されることが好ましい。例えば後述の実施例において、折り畳み状態では捨折り辺５６Ｌで折り曲げられてループ接着されるが、箱状態では捨折り辺５６Ｌよりもわずかに上方へ平行にずれた後ろ折り辺２５Ｌで折り曲げられて天面板２が構成される。天面板２の後ろ折り辺２５Ｌを捨折り辺５６Ｌよりも上方にずらすことで、箱型における背面部分がより大きいものとなる。また箱状態とする前に一旦捨て折り辺５６Ｌによる折り癖がつけられることで、捨て折り部５が形成された、より剛性に優れる箱型ケースとなる。
【考案の効果】
【００１２】
本考案の箱形包装ケースは上記手段を講じており、ループ状部分の離間によって連接アーム４が自動的にループ状の環状口にある一面板を引き上げるため、組み立て作業がより簡易となった。また、ループ状部分や連接アーム４は折返しと接着のみによって平面的に形成可能であるため、サックマシンでの貼合わせ加工が可能であるなど、折り畳みの作業性が向上するものとなった。また折返しのための比較的大きな部品を必要とせず、生産性がよい箱型包装ケースとなった。
【図面の簡単な説明】
【００１３】
【図１】本考案の箱形包装ケースのカット後の原板の説明図。
【図２】図１に示す原板から本考案の折畳み状態の箱形包装ケースを得るまでの工程説明図。
【図３】本考案の箱形包装ケースを折畳み状態から箱状態にする過程における状態説明図。
【図４】本考案の箱状態の箱形包装ケースにおいて内容物を収容する過程の状態説明図
【図５】本考案の箱状態の箱形包装ケースにおいて内容物を収容した後の状態説明図
【考案を実施するための形態】
【００１４】
以下、本箱形包装ケースの実施形態を、実施例として示す各図と共に説明する。本考案の箱型包装ケースは、それぞれ一つずつの背面板６、正面板１０、天面板２及び底面板３、並びに一つ以上の左右への側面板１１，１２，１４からなる、合計６つ以上の面板が一体的に連接された樹脂製シートから構成される。この樹脂性シートは各面板間が折り畳まれると共に第一、第二接着領域Ａ１、Ａ２の２個所でのみ面接着されて図２の左図に示す折り畳み状態として連続生産される。この折り畳み状態の樹脂性シートが、各面板間の連接辺で折り曲げられ、互いに辺当接して、また部分的に差し込み接続されることで、図５に示すような縦型の部分多角錐形状の箱状態へ構成される。実施例では、正面板１０、背面板６を含んで四つの面板が角柱状に連接されたループ状の板群と、この板群を構成する面板のいずれかから左右側方へ連接した左右側面板１１，１２，１４とで構成される。
【００１５】
（折り畳み前状態）
各面板はシート状のものであり、各板面を含む大判の原板をカット工程によって所定の外形状に切断し、加工工程によって各面板の辺を含む必要な折り辺に折り罫が設けられることで、図１に示す折り畳み前状態となる。カット工程は大判の原板からの外形切断工程であり、加工工程は折り罫やリード罫の作成工程である。カット工程によって大判の原板が図１に示す所定の外形状に切断され、加工工程によって折り罫やループ罫や切り込みが施される。
【００１６】
折り畳み前状態における形態は具体的には、縦長台形の正面板１０の四辺それぞれから上下左右の四方へ、天面板２、右側面板のうち第一側面板１２、底面板３、及び左側面板１４が連接される。なお各面板の少なくとも一部は透明性を有することが望ましく、例えば少なくとも正面板１０及び左右側面板１１，１２，１４は透明または半透明の樹脂製シートから構成される。
【００１７】
天面板２の上辺にはさらに倒立縦長台形状の背面板６が連接され、背面板６の上端部には底面板３の第一接着領域Ａ１側へ貼り付けてループ状構成とするための貼り付け片６Ｆが延設される。この貼り付け辺また背面板６の面内の高さ方向中央位置には略コ字状にカットされた切り込み６Ｃが形成される。底面板３は多角形からなり、天面板２は底面板３よりも小面積であり、また、側面板１１，１２，１４は縦方向長さが底面板３の最大対角線長さよりも長く形成される。これにより箱状態の形状は、縦型の部分四角錐箱となる。
【００１８】
左右側面板１１，１２，１４は、正面板１０の一側辺から側方連接された左側面板１４と、正面板１０の他側辺から側方連接された右側面板（１１，１２）を含む。左側面板１４及び右側面板（１１，１２）のうち第一側面板１２、及び左側面板１４は共に同一形状の縦型台形状からなり、上辺からそれぞれフラップ片１２１Ｆ，１４１Ｆが延設される。左側面板１４の側端辺からは外側方へ、辺全長に亘るフラップ片１４Ｆが延設され、当該側端辺上の長さ方向中央には、右側面板の差し込み部１１Ｉを差し込むための切り込み１４Ｃが設けられる。フラップ片１４Ｆの面内には高さ方向略中央位置に縦方向に設けられた略半辺長に亘る切り込みによって、差し込み部１４Ｉが形成される。
【００１９】
右側面板は、正面板１０に側方連接する第一側面板１２と、この第一側面板１２に側方連接する第二側面板１１とから構成される。また第二側面板１２の側端辺からさらに外側方へ、側端辺の半辺長に亘る差し込み片１１Ｉが延設され、当該側端辺上の長さ方向中央には、第二側面板１１の差し込みや差し込み解除を行うための切り込み片１１Ｃが設けられる。
【００２０】
（折畳み状態）
カット工程及び加工工程を経た図１の折り畳み前の状態から、第一折り返し工程、接着剤塗布工程、第二折り返し工程、及びプレス工程を経て、ループ状の部分の一連接辺および捨折り辺で折り返して所定の接着領域で接着された折畳み状態として形成される。実施例では図２に示すように、正面板１０の下辺と背面板６の上辺、或いは正面板１０の上辺と背面板６の下辺が折り曲げられることで、ループ状に構成された４面板のうち、正面板１０に連なる正面側の２面板と、背面板６に連なる背面側の２面板とが重なった折畳み状態となっている。
【００２１】
具体的には、第一折り返し工程によって背面板６上部の捨折り辺５６Ｌが山折りで折り曲げられて天面板２が背面板６に裏面同士当接して重ねられ（図２（ｂ））、次いで接着剤塗布工程によって底面板３上のループ接着領域Ａ１と左側面板１４上のアーム接着領域Ａ２に接着剤が塗布され（図２（ｂ））、次いで第二折り返し工程によって正面板１０下辺が谷折りで折り曲げられて底面板３が正面板１０に裏面同士当接して重ねられる（図２（ｃ））。こののち、プレス工程によって折り畳まれて重なったシート同士が平面状に圧接されて所定の接着領域での接着が完了する（図２（ｃ））。
【００２２】
（第一折り返し工程）
第一折り返し工程における捨折り辺５６Ｌは、天面板２の後ろ折り辺２５Ｌよりも背面板６側にずれた位置となっており、箱状態への組み上げ時には後ろ折り辺２５Ｌで折り曲げられることで、背面板６を大きく確保するものとしている。この捨折り辺５６Ｌは、原板状のものからループ状を構成するための接着用の折り曲げ辺であると共に、捨折り辺５６Ｌと後ろ折り辺２５Ｌとの間に形成された捨て折り部分５が、背面板６から僅かに斜めに形成されることで、剛性の強い箱状態を形成することができる。
【００２３】
第一折り返し工程において捨折り辺５６Ｌで背面板６を折り返すことで、背面板６の先部のフラップ片６Ｆが反転して、ループ接着領域Ａ１となる正面板１０上の所定位置に配置される。こののちの接着剤塗布工程によって、ループ接着領域Ａ１上に接着剤が塗布され、さらにそののちの第二折り返し工程によって、当該ループ接着領域Ａ１上に折り返された底面板３が反転して重なった状態となる。
【００２４】
（接着剤塗布工程）
接着剤塗布工程はホットメルト接着剤を所定の接着領域に噴射塗布する工程であり、第一、第二折り返し工程は送り方向に交差する方向へ折り返す工程であり、そしてプレス工程は、上方からの加圧面接着の工程である。これらはいずれも、サックマシンやプレスローラー等によるコンベア搬送中の機械的工程によって、高さ方向に嵩張らないコンパクトなシート状のものとして連続生産することが可能である。
【００２５】
接着剤塗布工程における所定の接着領域とは、正面板１０及び背面板６を含むループ状の板群が折畳まれた折畳み状態において、背面板６または正面板１０の先部のフラップ片６Ｆ／１０Ｆが底面板３または天面板２の面内と重なるループ接着領域Ａ１，及び、連接アーム４の先部の接着面４ｆが側面板１２／１４の面内と重なるアーム接着領域Ａ２の２つの領域をいう。
【００２６】
実施例において、ループ接着領域Ａ１は底面板３の下辺に沿う横長の長円形状の領域であり、捨折り辺５６Ｌにて折り曲げられた背面板６の先部にあるフラップ片６Ｆと底面板３とが重なる領域内に設けられる。また実施例において、アーム接着領域Ａ２は左側面板１４の下辺付近に設けられた真円形状の領域であり、正面板１０の下辺にて折り曲げられた底面板３と共に反転して上方移動した、連接アーム４の先部にある接着面４ｆと左側面板１４とが重なる領域内に設けられる。
【００２７】
実施例においてホットメルトタイプの接着材を噴射によって塗布しているが、常温硬化タイプのもの、或いは紫外線硬化タイプのものといった他の接着方式の接着剤を使用してもよく、また接着剤をローラーによって塗工するものでもよい。
【００２８】
（組み上げ）
本考案の箱型包装ケースは、前記折畳み状態から、面板同士の各連接辺を折り返すことで箱状態に組み上げられる。組み上げにおいては、先ず図３に示すよう側に折り畳まれた背面板と正面板とを離間させてループ状の部分を環状に組み起こすと、連接アームに連接された側の左側面板１４が連動して、ループ状の一方の環状口（図３の左側の環状口）を塞ぐように起き上がる。連接アーム４によって左側面板１４が自動的に起き上がるため、折畳み状態から箱状態にするまでの組み上げ作業が容易となる。また同時にループ状の他方の環状口が大きく開口することで、商品詰め作業や商品取り出し作業が容易となる。特に背面板及び正面板の縦幅が横幅よりも長い縦型包装容器においては、図４に示すように、天板や底板部分に比べて大きな側面開口から商品詰め／商品取り出しすることができ、作業性が良いものとなる。
【００２９】
次に図４に示すように、折畳み状態で重ねられたループ状の面板同士を離間させて環状にすることで、ループ状の板群のいずれか一側方が内部収容口となり、当該一側方外方へ連接した一側面板または一側面板群が、内部収容口を塞ぐ蓋板となる（図４）。また内部収容口と反対側の他側方へ連接した他側面板は、連接アーム４によって底面板３と連接されている。なお他の実施形態として連接アーム４が天面板２と連接されたものでもよい。
【００３０】
そして図５に示すように、箱状態ではループ状の背面板６と先側の右側面板の先側にある第二側面板１２とが重なって六面体を構成する。このとき、差し込み部１４Ｉをつまんで背面板６の切り込み６Ｃに差し込むことで、左側面板１４を背面板６側へ固定することができる。また、右側面板の第二側面板１１の差し込み部１１Ｉを左側面板１４の切り込み１４Ｃ内に差し込むことで、右側面板の第二側面板１１を左側面板１４側へ確実に固定することができる。
【００３１】
（連接アーム４）
連接アーム４は、所定方向に延伸した矩形の板状部材からなり、その両端が、正面板１０に側方連接した底面板３又は天面板２のいずれかと、同じく正面板１０に側方連接した左右側面板１２，１４のいずれかとの間を相互に繋ぐ。連接アーム４は天面板２又は底面板３のいずれか一方に設けられるが、設けられる天面板２又は底面板３いずれかにおいては、一側辺から一側方へのみ伸設されるものでもよく、両側辺からそれぞれ外側方へ対称に伸設されるものでもよい。折り畳み状態とする前のカット状態における連接アーム４の伸設方向は、図１に示すように、隣り合う側面板１２または１４の近接辺寄りの斜め方向である。
【００３２】
連接アーム４の両端の接続方法は貼り付けや熱溶着或いは差し込みによる接着固定、または原板から切り出した一体成形のいずれでもよい。実施例における連接アーム４の取り付け基部４Ｒは、図１に示すカット状態において一体的に連なって形成されており、先部は接着面４ｆとして、折り畳み状態にて重ねられた左側面板１４の面内の重畳部分に接着される。この側面板の面内の重畳部分がアーム接着領域Ａ２とされ、折り重ね前に側面板１２／１４上のアーム接着領域Ａ２へ予め接着剤が塗布される。
【００３３】
実施例の連接アーム４は、底面板３の側辺上の位置を取り付け基部４Ｒとして、前記取り付け基部４Ｒから、当該辺の垂線方向に対して左側面板１４側へ３０度乃至４５度程度傾いた斜め方向へ直線的に延伸する。連接アーム４の取り付け基部は底面板３の一側辺から連接しており、組み上げ時にはこの連接する側辺を連接境界として山おり方向へ順折りされる。但し連接アーム４は左側面板１４側へ伸びるものに限らず、右側面板１２側へ伸びるものでもよい。また連接アーム４の取り付け基部４Ｒは底面板３の側辺に限らず、天面板２の側辺であってもよい。
【００３４】
連接アーム４の先部は、先側に矩形の接着面を区画するリード罫４Ｃが設けられてそれよりも先部に接着面４ｆが形成される。そしてこの接着面４ｆがホットメルト接着剤によって側面板１４面内のアーム接着領域Ａ２に貼り付けられている。組み上げ時には前記リード罫４Ｃを折り曲げ辺として谷折り方向へ逆折りされる。また連接アーム４の先部は、基部の取り付け位置から真横方向ではなく上方または下方にずれた位置に形成されており、連接アーム４の延伸方向は折り曲げ方向に対して、かつ天面板２または底面板３の連接辺方向に対して斜めの方向となっている。これにより、組み上げ時に貼り付けられた側面板１２，１４の面を自動的に引き上げることとなる。またループ状部分が折畳み状態のときに接着面４Ｆを下面として側面板１４へ貼り付け形成されることで、サックマシンによる機械貼り付けが可能となり、組み上げ時に逆折りとなることで箱の剛性を確保することができる（図４，５）。
【００３５】
（他の実施例）
上記実施例に代えて、正面板１０から両側面板を介して背面板６がループ状に連接したものでもよい（図示せず）。この場合、背面板６または正面板１０のいずれかから上下方向へそれぞれ天面板２及び側面板が連接して構成され、左右側面板１２，１４のいずれかから上下方の少なくとも一方へ連接アーム４が設けられ、この連接アーム４の先部が、前記ループ状の背面板６と正面板１０とを折り畳んだ折畳み状態で、天面板２又は底面板３のいずれかの面内に接着される。またこの場合、第二側面板１１は存在しない。正面板１０、背面板６及び左右の側面板１２，１４がループ状に連接して底面板３に連接アーム４が設けられた場合には、箱状態にて天面板２が上蓋となった上開口容器となる。
【００３６】
その他、本考案は上述の実施例に限定されず、本考案の趣旨を逸脱しない範囲で種々の構成、形状の変更、要素の抽出、組み合わせの変更或いは付加が可能である。例えば箱状態の容器形状は上述の縦型部分四角錐に限らず、五角錐、六角錐或いは略円錐形状であってもよく、縦長形状ではなく横長形状としてもよい。また例えば、収容物となる商品が容器内で動かないように各側辺から仕切りを延設し、これを容器空間内に立て、或いは横断させたものとしてもよい。
【符号の説明】
【００３７】
１０  正面板
１１  第二側面板
１２  第一側面板  
１４  左側面板
２  天面板
３  底面板
４  連接アーム
４ｆ  接着面
４Ｃ  リード罫  
５  捨折り部
５６Ｌ  捨折り辺
６  背面板
Ａ１  ループ接着領域
Ａ２  アーム接着領域
【図１】
0003155081.tif 000003
【図２】
0003155081.tif 000004
【図３】
0003155081.tif 000005
【図４】
0003155081.tif 000006
【図５】
0003155081.tif 000007